(57)【要約】【課題】ユーザの煩雑な操作を必要とすることなく、入力文字列の表示属性を比較的容易に変更する。【解決手段】少なくとも文字情報を含むメッセージを作成する際、ユーザが使用する便箋毎に予め定められた表示属性パターンが定められている。表示画面上に表示された便箋上にユーザが文字を入力していくと、その便箋について予め定められた表示属性パターンに応じて、各入力文字に対してその文字位置に応じて表示属性が与えられる。【選択図】図１４
2005032133.tif 000002
【特許請求の範囲】
【請求項１】
少なくとも文字情報を含むメッセージを作成するメッセージ作成装置であって、
表示画面上に表示される便箋を選択する手段と、
表示画面上に表示された便箋上に文字を入力する手段と、
便箋毎に便箋の各文字位置上に配置された文字の表示属性を決定する表示属性パターンを記憶する手段と、
入力された文字に対して、前記便箋上の当該文字の位置に応じて前記表示属性パターンにより決まる表示属性を与える制御手段と、
を備えたことを特徴とするメッセージ作成装置。
【請求項２】
前記便箋に対応した表示属性パターンは文字の表示属性に加えて背景色をも指示することを特徴とする請求項１記載のメッセージ作成装置。
【請求項３】
少なくとも文字情報を含むメッセージを作成するメッセージ作成装置であって、
表示画面上に表示される便箋を選択する手段と、
表示画面上に表示された便箋上に文字を入力する手段と、
便箋上の任意の位置に貼付しうるシールのイメージおよびこのシールに対応した表示属性パターンを記憶する手段と、
表示画面上で便箋上の任意の位置にシールを貼付し、貼付されたシールを剥離する手段と、
便箋上にシールが貼付されたとき、そのシールに対応する表示属性パターンに応じて、前記シールの位置を基準として定まる領域内の文字の表示属性を変更し、前記シールが剥離された後も当該文字の表示属性の変更状態を維持する制御手段と、
を備えたことを特徴とするメッセージ作成装置。
【請求項４】
前記制御手段は、前記シールを剥離する前に便箋上でのシールの位置が移動した場合、前記表示属性の変更をリセットして再度新たなシールの位置に基づく表示属性の変更を行うことを特徴とする請求項３記載のメッセージ作成装置。
【請求項５】
少なくとも文字情報を含むメッセージを作成するメッセージ作成プログラムであって、
表示画面上に表示される便箋を選択させるステップと、
表示画面上に表示された便箋上に文字を入力させるステップと、
便箋毎に予め定められた表示属性パターンを参照して、各入力文字に対して、当該文字の位置に応じて前記表示属性パターンにより決まる表示属性を与えるステップと、
を備えたことを特徴とするメッセージ作成プログラム。
【請求項６】
前記便箋に対応した表示属性パターンは文字の表示属性に加えて背景色をも指示することを特徴とする請求項５記載のメッセージ作成プログラム。
【請求項７】
少なくとも文字情報を含むメッセージを作成するメッセージ作成プログラムであって、
ユーザに表示画面上に表示される便箋を選択させるステップと、
表示画面上に表示された便箋上に文字を入力するステップと、
表示画面上で便箋上の任意の位置にシールを貼付させ、および、貼付されたシールを剥離させるステップと、
便箋上にシールが貼付されたとき、そのシールに対応する表示属性パターンに応じて、前記シールの位置を基準として定まる領域内の文字の表示属性を変更し、前記シールが剥離された後も当該文字の表示属性の変更状態を維持するステップと、
を備えたことを特徴とするメッセージ作成プログラム。
【請求項８】
前記シールを剥離する前に便箋上でのシールの位置が移動した場合、前記表示属性の変更をリセットして再度新たなシールの位置に基づく表示属性の変更を行うステップをさらに備えたことを特徴とする請求項７記載のメッセージ作成プログラム。
【発明の詳細な説明】
【技術分野】
【０００１】
本発明は、表示画面上に表示される、少なくとも文字情報を含むメッセージを作成するメッセージ作成装置およびメッセージ作成プログラムに関するものである。
【背景技術】
【０００２】
近年、ＰＣ（パーソナルコンピュータ）だけでなく、携帯電話機のような通信端末装置においても、電子メールのようなメッセージ通信が可能となり、広く利用されている。
【０００３】
特に携帯電話機のように個人的に利用される電子メール等のメッセージ通信には、視覚的に表現力豊かな文面の作成を目的として、文中の任意の文字の色を自由に変更できることが好ましい。
【特許文献１】特開２００２−４１１９４号公報
【特許文献２】特開２００２−２０７６７１号公報
【発明の開示】
【発明が解決しようとする課題】
【０００４】
しかしながら、ＰＣにおける操作で知られている方法によれば、文字の色を変更するために、ユーザはいちいち変更対象の文字（または文字範囲）を指定し、色を指定し、確定するという操作を、異なる文字範囲および色毎に繰り返して行う必要がある。そのため、画面上で文字色の変更により文字を利用してイメージを描こうとするような場合、非常に煩雑で手間のかかる操作が要求される。携帯端末についても同様である。（特許文献１，２参照）
【０００５】
本発明はこのような背景においてなされたものであり、その目的は、ユーザの煩雑な操作を必要とすることなく、入力文字列の表示属性を比較的容易に変更することができるメッセージ作成装置およびメッセージ作成プログラムを提供することにある。
【課題を解決するための手段】
【０００６】
本発明によるメッセージ作成装置は、少なくとも文字情報を含むメッセージを作成するメッセージ作成装置であって、表示画面上に表示される便箋を選択する手段と、表示画面上に表示された便箋上に文字を入力する手段と、便箋毎に便箋の各文字位置上に配置された文字の表示属性を決定する表示属性パターンを記憶する手段と、入力された文字に対して、前記便箋上の当該文字の位置に応じて前記表示属性パターンにより決まる表示属性を与える制御手段とを備えたことを特徴とする。
【０００７】
このように、使用する便箋毎にその便箋上に配置される文字に付与すべき表示属性のパターンが指定される。したがって、入力する文字自体にデフォルトの文字属性があっても、便箋上のどの位置に文字を置くかによってその文字の表示属性が変わる。その変わり方も個々の便箋によって異なる。したがって、便箋を選択するだけで、個々の入力文字の表示属性の指定を行うことなく、表示属性を表示属性パターンに従って変更することができる。表示属性には、文字の反転、袋文字、影文字、点滅、書体、太文字、下線等を含みうる。
【０００８】
前記便箋に対応した表示属性パターンは、便箋によっては、文字の表示属性に加えて背景色をも指示するようにしてもよい。
【０００９】
本発明によるメッセージ作成装置は、少なくとも文字情報を含むメッセージを作成するメッセージ作成装置であって、表示画面上に表示される便箋を選択する手段と、表示画面上に表示された便箋上に文字を入力する手段と、便箋上の任意の位置に貼付しうるシールのイメージおよびこのシールに対応した表示属性パターンを記憶する手段と、表示画面上で便箋上の任意の位置にシールを貼付し、および、貼付されたシールを剥離する手段と、便箋上にシールが貼付されたとき、そのシールに対応する表示属性パターンに応じて、前記シールの位置を基準として定まる領域内の文字の表示属性を変更し、前記シールが剥離された後も当該文字の表示属性の変更状態を維持する制御手段とを備えたことを特徴とする。
【００１０】
このメッセージ作成装置では、ユーザの指示に従って便箋が選択され、文字が入力される。さらに、必要に応じて便箋上にシールが貼付され、また、剥がされる。便箋上にシールが貼付されたときには、そのシールの位置を基準として定まる領域内の文字の表示属性が変更される。この変更結果はシール剥離後も維持される。したがって、シールは例えばシール周囲の文字群に対して表示属性を付与するツールとして機能する。
【００１１】
前記制御手段は、前記シールを剥離する前に便箋上でのシールの位置が移動した場合、前記表示属性の変更をリセットして再度新たなシールの位置に基づく表示属性の変更を行うことができる。これによって、シールの移動に伴い、シールが影響を及ぼす範囲が連動して移動する。よって、ユーザはシールの貼付位置を最初から厳密に決定する必要はなく、とりあえず便箋上の任意の位置に置き、その後、所望の位置へ移動させるということが許される。
【００１２】
本発明は、また、上記のようなプログラム作成装置の機能を実現するためのコンピュータプログラムとしてのプログラム作成プログラムを提供する。
【発明の効果】
【００１３】
本発明によれば、ユーザは個々の文字に対して色を指定する操作を行う必要なく、入力した文字群に対して所定の文字色パターンを設定することができる。すなわち、文字の表示属性変更のために煩雑な操作を行う必要なく、例えば、便箋の選択操作やシールの貼付操作によって、迅速に文字属性のパターンを決定することができる。これによって、より簡単に文字表示属性の変更を行うことができ、その結果、メッセージの表現力を容易に増加させることが可能となる。
【発明を実施するための最良の形態】
【００１４】
以下、本発明の実施の形態について、図面を参照して詳細に説明する。
【００１５】
図１に、本実施の形態に係るシステム全体の概略構成、および通信端末装置（単に端末ともいう）の一例として携帯電話機１００の内部構成を示す。このシステムにおいて、携帯電話機１００は基地局１５０を介して通信ネットワーク１５５に接続されている。通信ネットワーク１５５には、サーバ１６０、他の携帯電話機１００、電子メール端末装置としてのＰＣ１６３等に接続されている。通信ネットワーク１５５には電話網、インターネット等を含みうる。
【００１６】
本実施の形態でのメッセージ作成装置は携帯電話機１００でのメール作成を想定しているが、ＰＣ１６３への本発明の適用を排除するものではない。また、本発明は、通信を必要としない範囲で、通信を利用しない用途（例えば個人的なメモや日記等）にも適用可能である。
【００１７】
携帯電話機１００の制御部１０５は、変調器１０３および復調器１０４に接続され、さらに、これらはアンテナ共用器１０２を介してアンテナ１０１に接続され、基地局１５０および通信ネットワーク１５５を介して外部の通信端末装置との間で音声やデータの送受信を行う。制御部１０５は、ＣＰＵ１１０を有し、メモリ１２２に格納されている制御プログラムやアプリケーションプログラムおよび必要なパラメータを利用して、携帯電話機の機能を実現する。メモリ１２２は不揮発性のメモリであるＲＯＭ、ＥＥＰＲＯＭや、通常揮発性であるＲＡＭ等を含む。後述するキャッシュメモリもこのメモリ１２２内に確保される。制御部１０５はさらに外部インタフェース１１１を含み、これを介して、入力部１０６（各種キーやジョグダイヤル等）、表示部１０７（ＬＣＤ等の表示手段）、ＬＥＤ１０８（発光部）、バイブレータ１０９（振動部）等の入出力動作を制御する。制御部１０５にはさらに時計部１２１が接続される。時計部１２１は日時情報の管理を行うとともにタイマー機能等を有する。制御部１０５は本発明の表示制御手段を構成している。
【００１８】
図２に、サーバ１６０の概略の構成例を示す。サーバ１６０は主要機能部として、Ｗｅｂ処理部２０３、テーブル処理部２０５、およびメール（メッセージ）処理部２０７を有する。
【００１９】
Ｗｅｂ処理部２０３は、Ｗｅｂ画面構成のためのイメージ（画像）やテキストのデータを格納したＷｅｂデータ記憶装置２０４と接続されると共に、通信部２０１を介して通信ネットワーク１５５に接続され、携帯電話機１００等からのＷｅｂデータの要求に応じてＷｅｂデータの返送を行う応答手段として機能する。Ｗｅｂ処理部２０３は、この送信の前にＷｅｂデータの加工処理を行ってもよい。Ｗｅｂ処理部２０３は、また、端末で機能するアプリケーションプログラム（アプリ）３０９および便箋（または台紙）３０２やシール３０３、便箋文字色パターン３１２、シール対応文字色パターン３１３等の各種リソースデータを格納するデータベース（記憶装置）２０２に接続され、端末からのダウンロード要求に応じてこれらを端末へ送信する。
【００２０】
テーブル処理部２０５は、後述するような宛名リスト５１、便箋テーブル６１、シールテーブル６２のような各種管理用のデータテーブルを格納するテーブルデータ記憶装置２０６に接続され、Ｗｅｂ処理部２０３およびメール処理部２０７から与えられる情報に従って、各種テーブルデータの作成および更新の処理を行う。
【００２１】
メール処理部２０７は、通信部２０１を介して通信ネットワーク１５５に接続され、ユーザ間で送受信される電子メール等のメッセージの送受信処理を担当する。本実施の形態での後述するような特別な仕様によるメールは、特にデコレーションメッセージと呼ぶ。メール処理部２０７は、メールデータを格納するメールデータ記憶装置２０８およびテーブル処理部２０５にも接続されている。
【００２２】
なお、サーバ１６０のメール機能とＷｅｂ機能は別々のサーバが担当し、適宜必要情報を相互に授受する構成であってもよい。また、図示しないが、通信部２０１とは別に外部との間で各種データ等の入出力を行うインタフェースを備えてもよい。
【００２３】
以下、本実施の形態におけるメッセージの構成および動作（特に着色機能）について詳細に説明する。
【００２４】
図５に、本実施の形態におけるデコレーションメッセージに関して端末で採用されるユーザインタフェース（ＵＩ）画面４００の例を示す。ただし、本発明はこのようなＵＩ画面の利用を必須とするものではなく、本発明の実施上の一形態にすぎない。図に示すユーザインタフェースは、画面上にエージェントやマスコットと呼ばれるキャラクタ（以下、マスコットという）４０１と、ユーザによるこのマスコット４０１の操作に応じて操作（指示）される複数のアイテムとを表示することにより、直感的かつ簡単な操作が行えるユーザのなじみやすいユーザインタフェースを提供するものである。図の例では部屋の中を模して、その中に各種のアイテムが配置され、ユーザの操作に従ってマスコット４０１が部屋の中を移動し、所望のアイテムに働きかけることができるようになっている。図中のアイテムとしては、ポスト４０２、ＰＣ４０３、水晶玉（または光の玉）４０４、およびレター４０５が示されている。
【００２５】
図５のＵＩ画面４００の右上角に表示された時計のアイコン４０８は現在スケジュールデータがコピーされていることを示している。このコピーされた内容はマスコット４０１が保持した水晶玉４０４で象徴されている。水晶玉４０４を任意のアイテムにペーストする場合には、マスコット４０１が保持した水晶玉４０４を、ペースト先のアイテムにフォーカスを当てた（選択した）状態で、下に置く動作を行う。図の例では、レター４０５のアイテムに対してペーストすることにより、作成しようとするメッセージにスケジュールデータを添付する場合を示している。また、レター４０５のアイテムを選択した状態でエンターキー等の押下（以下、エンター操作という）により、メール作成に移行することができる。また、メール受信時にポスト４０２を選択した状態でのエンター操作により受信メールの再生に移行することができる。
【００２６】
図４に、本実施の形態で用いる便箋テーブル６１の構成例を示す。このテーブルは、異なる便箋毎に、便箋ＩＤ、便箋イメージＩＤ、文字色パターンＩＤを登録してある。便箋ＩＤにより便箋イメージ３０２（図１）が特定され、文字色パターンＩＤにより便箋文字色パターン３１２（図１）が特定される。
【００２７】
図５に、本実施の形態で用いるシールテーブル６２の構成例を示す。このテーブルは、異なるシール毎に、シールＩＤ、シールイメージＩＤ、文字色パターンＩＤを登録してある。シールＩＤによりシールイメージ３０３（図１）が特定され、文字色パターンＩＤによりシール対応文字色パターン３１３（図１）が特定される。
【００２８】
図６は、便箋文字色パターン３１２の一例を示している。これは画面上の便箋サイズに対応したサイズのマトリクスデータであり、各マトリクス要素は文字色コード（ここでは１６進数２桁）からなる。このマトリクスは便箋のサイズに対応した領域に内包される半角文字単位のデータであり、ここでは８行１８列の例を示している。便箋のページ毎に異なる文字色パターンを保持してもよいが、ここでは各ページ共通としている。異なる文字色コードに全角文字がまたがった場合には、予め定めた一方の文字色コードを利用する。
【００２９】
なお、便箋イメージ３０２自体は図示しないがカラーのビットマップデータで構成できる。
【００３０】
図７に、シール対応文字色パターン３１３の構成例を示す。ここでは半角文字単位で７行１４列のサイズとしている。各マトリクス要素について文字色コードを指定する点は便箋文字色パターンと同じである。シール対応文字色パターンのサイズは図示のサイズに限るものではないが、通常、便箋文字色パターンより小さいサイズとする。便箋文字色パターン３１２およびシール対応文字色パターン３１３のサイズは矩形を示したが、これに限るものではなく、任意の形状とすることができる。また、個々の便箋毎あるいは個々のシール毎に形状が異なってもよい。
【００３１】
便箋イメージ３０２、便箋文字色パターン３１２、シールイメージ３０３、シール対応文字色パターン３１３は、好ましくは、予め所定個数がユーザの端末内に一時的に保持（キャッシュ）される。また、キャッシュされていないデータについては必要時にサーバからダウンロードされる。端末内には、キャッシュされているデータを管理するために、便箋テーブル６１およびシールテーブル６２の一部に相当するデータテーブルも保持される。したがって、メールの送受信時はメールのメッセージに加えて、便箋やシールのＩＤ情報を送受信すれば済み、その都度、便箋やシールのイメージデータまで送受信する必要がなくなる。
【００３２】
図８に、宛名リスト５１の構成例を示す。宛名リスト５１は、デコレーションメッセージを送ることのできる人の一覧であり、サーバに保持されるデータテーブルである。宛名リスト５１には、各ユーザ毎にその通信相手の「ユーザ名（ニックネーム）」とその「メールアドレス」および「ユーザアイコン」が、各ユーザの操作に従って予め登録される。また、各ユーザの宛名リストは当該ユーザの端末内にキャッシュされる。
【００３３】
端末のユーザがデコレーションメッセージを作成・送信する際、ユーザは図３のＵＩ画面４００においてマスコット４０１を操作してレター４０５のアイテムにフォーカスを当て、エンター操作を行うと、図９のあて先選択画面に移行する。この画面ではキャッシュされている宛名リストに登録されているユーザが選択候補としてユーザアイコンおよびニックネームで表示されている。全員が画面に収まらない場合には画像をスクロールまたはページ切り替えすることにより、隠れたあて先候補を表示させることができる。ユーザアイコンはリソースデータの一部としてサーバから供給され、好ましくはユーザが宛名の登録時に選べるようにする。
【００３４】
図９のあて先選択画面でいずれかのあて先候補（図の例では「橘」）を選択すると、図１０に示すような便箋選択画面へ移行する。ここでは、選択可能な便箋イメージが表示される。この例では、これと併せて対応する封筒のイメージも示している。封筒のイメージは後述するように、例えば、メール受信側で受信メールの一覧を表示する際に利用できる。この場合、封筒イメージデータも別途サーバに保持しておく。ただし、封筒イメージは本発明において必須のものではない。図１０（ａ）〜（ｅ）に示すように、ユーザは封筒選択画面において、入力部１０６の例えばジョグダイヤルやカーソル移動キー等を用いて順次便箋のイメージを切り替えていき、所望のイメージが現れたときにその選択を確定する。
【００３５】
その後、図１１に示すようなメッセージ編集画面５１０が表示される。この編集画面には、先ほど選択された便箋が表示される。図では便宜上便箋の地模様を図示省略してある（ただし、無地の便箋が存在してもよい）。また、図示しないが便箋の下側にはあて先（ＴＯ：）をユーザアイコン５０１で示すようにしてもよい。便箋の右側にはこの編集画面で利用できる複数のツールアイコンが表示されている。この例では、手続きの流れに沿って上から順に文字入力ツール５１１、シールツール５１２、文字色ツール５１３、および送信ツール５１５が用意されている。また図示しないが、画面の所定の位置（例えば右上角）に添付データの存在を示すアイコン（例えばデータの種類を示すアイコン）を表示するようにしてもよい。
【００３６】
文字入力ツール５１１は、便箋上にテキストメッセージを入力するためのツールである。シールツール５１２は所望のシールを選択して便箋上の任意の位置に貼付し、または貼付したシールを剥離するためのツールである。文字色ツール５１３は入力されたテキストの任意の文字（または文字列）の色を変更するためのツールである。（変更前の文字色はデフォルトの色である。）送信ツール５１５は完成したメッセージをあて先に送信するためのツールである。ユーザは入力部１０６（図１）の操作によりこれらのツールを順次選択できるようになっている。ツールを実際に利用する順序は必ずしも上記の順である必要はなく、また、一度実行したツールを後から再度利用し直すような操作も可能である。
【００３７】
図示しないが、ユーザがシールツール５１２にフォーカスを移動すると、編集画面５１０内の便箋の初期位置にシールの貼付位置を決定するためのシールカーソルが表示され、この状態でエンター操作を行うと、ツール表示領域にシールの選択候補がイメージで表示される。ユーザが一つのシールを選択すると便箋上のシールカーソル位置に当該シールの絵柄が表示されるとともに、シールの位置を上下左右に移動しうることを示す矢印がシールの周囲に表示される。シール位置を決定してエンター操作を行うと、その位置にシールが貼付される。シールは文字を隠すような位置に貼ってもよいし、空白の位置に貼ってもよい。シールは貼付後に移動させることもでき、また、はがすこともできる。シールを利用した文字色の変更（着色）の詳細については後述する。
【００３８】
図１２は文字入力およびシール貼付が完了した状態を示している。この例では、シールが２枚貼付されている。なお、シールの具体的な構成および機能については、本出願人が先に出願した特願２００３−１５０４２８において詳細に記載されている。文字色ツール５１３の詳細についても同出願に開示されているが、本実施の形態での手入力による文字色の変更方法の如何は問わない。
【００３９】
以上のようにして作成されたメッセージは、送信ツール５１５が選択された画面でエンター操作または右ソフトキー操作により、あて先ユーザに対して送信することができる。
【００４０】
図１３に、本実施の形態におけるメッセージの具体的なデータ構造の例を示す。この例ではタグを利用したマークアップ言語の形式でデコレーションメッセージを定義している。便箋タグ＜ｌｅｔｔｅｒｐａｐｅｒ  ｉｄ＝・・・＞は便箋の識別子である便箋ＩＤを指定している。ページタグ＜ｐａｇｅ  ｖａｌｕｅ＝・・・＞は便箋毎のページ番号を指定している。本文タグ＜ｂｏｄｙ＞はページ毎の本文の領域を指定している。本文内のカラータグ＜Ｃ・・・＞は文字の色を指定している。シールタグ＜ｓｅａｌ  ｉｄ＝・・・＞はシールの識別子であるシールＩＤおよびその便箋上での位置情報を指定している。この例では、１ページのデータのみ示しているが、後続のページがある場合にはページ単位で同様のデータが追加される。本実施の形態では、ページタグ＜ｐａｇｅ  ｖａｌｕｅ＝・・・＞の中の要素は、上から順に描画されるものとし、本文が一番下のレイヤとして記述される。シールの描画順はデータの出現順であり、位置が重なる場合には後出のシールが前出のシールの上に貼られることになる。シールの記述の順序は、ユーザが貼り付ける動作を行った順に従う。
【００４１】
カラータグ＜Ｃｘｘ＞のＣは文字色を表す識別子であり、ｘｘは、文字色の識別番号を表している。この例では識別番号は１６進で表記し、２５６パターンの表現を可能としている。このタグを本文に挿入することにより、それ以降、文字色に関するタグが次に現れるまでの文字についてその文字色が規定される。文字のデフォルト色は黒とする。但し、これに限るものではなく、便箋ごとにデフォルト色を決めることもできる。
【００４２】
図の例は画面上の文字群に星形状の着色を行うものであり、このような着色を手入力で行おうとすると煩雑で時間のかかる操作を行わなければならず、現実的ではない。
【００４３】
そこで、入力文字への自動着色の第１の形態として個々の便箋に文字色パターンを持たせる。図１４（ａ）−（ｃ）に示すように、文字が入力される前の状態では便箋のイメージのみが見え、文字を入力していくにつれて、その便箋に割り当てられている文字色パターンにしたがって文字色が変わっていく。文字色パターンは便箋上の位置で決まっているので、図１４（ｄ）（ｅ）に示すように、改行などにより入力文字列が移動したときには、画面上の各文字には新たな文字位置に応じた文字色が割り当てられる。
【００４４】
なお、図面ではカラー表現ができない制約上、文字の書体やスタイルを変えることにより文字色の違いを表現している。また、図の例では便箋の地模様として無地のものを使用しているが地模様が存在してもよい。その際、地模様の色と文字の色とが異なる場合、文字の色が優先する。手入力の文字色と便箋等による文字色とは、予め定めた方（例えば後に決定された方）が優先する。
【００４５】
図１５および図１６は、便箋に対して、それぞれハート形および星形の文字色パターンが割り当てられた例を示している。図１７および図１８は、便箋に対して、チェックおよびストライプの文字色パターンが割り当てられた例を示している。図１９は多数の色のストライプを用いた虹の文字色パターンを示している。図２０は黒の背景の中に暗い文字と明るい文字とを混在させ夜空を模した文字色パターンとしている。夜空の文字色パターンが割り当てられる便箋の背景色（地色）は予め黒としておく。あるいは、夜空の文字色パターンが選択されたとき、図１３のようなメッセージデータに黒の背景色を指定するタグ（例えば＜ｂａｃｋｇｒｏｕｎｄ  ｃｏｌｏｒ＝Ｃ００＞）を追加する。
【００４６】
図２１は文字色が動的に変化する文字色パターンの表示例を示している。この例は、２つの文字色パターンを周期的に交互に切り替えて表示するものである。このような動的パターンは、色を切り替えたい文字（または文字列）に対して切り替え対象の複数の文字色コードを同時に指定する等により表現できる。例えば、メールの受信端末がこのメールを再生する際、＜Ｃ０３，Ｃ１０＞のような複数の文字色コードを含むタグについては、所定の時間間隔で、指定されている複数の文字色コードを順次切り替えて表示する。
【００４７】
このようにユーザは複数の便箋のなかから特定の便箋を選択するだけで、これらの多様な文字色パターンを選択することができる。どの便箋にどのような文字色パターンが割り当てられているかは、便箋の選択の段階でユーザに不明としてもよいし、あるいは、ユーザにパターンの内容を知らせるようにしてもよい。前者の場合、ユーザもどのような文字色パターンが現れるかが、文字を入力するまで分からず、ユーザは意外性を楽しむことができる。後者の場合にはユーザは便箋の選択の段階で自分の所望の、あるいは、送り先の相手にあった文字色パターンを選択することができる。
【００４８】
入力文字への自動着色の第２の形態は、シールに文字色パターンを持たせ、シールの貼付により当該文字色パターンをシール位置（およびその周辺）の文字の色に反映させるものである。図２２（ａ）にそのような画面例を示す。この例では、シール３０３に星形の文字色パターンが割り当てられており、便箋上のシールを添付した位置を基準として、該当範囲内の文字の色をシール対応文字色パターンの文字色に変更する。図２２（ｂ）に示すように、シール３０３を剥がした後も文字色変更の影響は維持される。図２２（ａ）の状態から図２２（ｃ）のようにシール３０３の位置を移動させたときには、シールが影響を及ぼす範囲が変わるため、文字色の変更範囲も移動する。シールの移動の場合、シールの剥離の場合と異なり、シール移動前の文字色変更状態はリセットされる。シールを貼付した文字色を変更した後、このメールを送信した場合、受信側のユーザには、どのようにして（またはどのシールにより）その文字色変更を実現したかは不明となる。
【００４９】
次に、受信側端末におけるＵＩ画面４００および動作について説明する。
【００５０】
図２３（ａ）に示すように、マスコット４０１の操作によりポスト４０２のアイテムを選択すると、図２３（ｂ）に示すような受信メッセージを内包した受信ボックス画面に移行する。ここでは、封筒のアイコン４０６に差出人（送信者）のニックネームおよび送信日が記載された形式で受信メッセージを示している。その中から目的のメッセージを選択することになる。このような封筒のイメージも便箋と同様サーバで保持し、端末内にキャッシュしておくことができる。受信ボックス内のメッセージの表示形態は封筒に限るものではない。図２３（ｂ）の画面でいずれかの受信メッセージ（封筒）を選択すると、その内容が表示される。
【００５１】
次に、上記のような動作を実現するための端末での処理のフローチャートを示す。
【００５２】
図２４は、メール作成・送信処理のフローチャートである。ユーザによりメール作成の指示がなされると、まず、ユーザに対して図９に示したようなあて先選択画面を示して、あて先を選択させる（Ｓ１１）。ついで、図１０に示したような便箋選択画面を示し、所望の便箋を選択させる（Ｓ１２）。そこで、図１１に示したようなメッセージ編集画面を表示して、ユーザによるメール作成を支援する（Ｓ１３）。すなわち、文字入力を受け付け（Ｓ１３１）、文字色変更操作を受け付け（Ｓ１３２）、シール操作を受け付ける（Ｓ１３３）。ここでの文字色変更操作は前述した文字色ツール５１３を用いたユーザの手入力によるものである。これらのシール貼付や文字色変更操作は省略される場合がありうる。ただし、便箋やシールに応じて、自動的な文字色変更が行われる。このようにして作成されたメールは、ユーザの指示に従って、あて先へ送信される（Ｓ１４）。
【００５３】
図２５に、図２４の処理の一部としての文字入力処理のフローチャートを示す。まず、便箋ＩＤを確認する（Ｓ２１）。ついで、文字入力を受け付ける（Ｓ２２）。入力された各文字の位置に応じて、当該便箋に対応する便箋文字色パターンを参照する（Ｓ２３）。この便箋文字色パターンに文字位置を照らして、入力文字の文字色を決定する（Ｓ２４）。このような処理を文字入力終了まで（Ｓ２５）繰り返す。
【００５４】
図２４におけるシール操作の処理の一部としての、シールによる文字色変更処理のフローチャートを図２６に示す。まず、貼付されたシールのシールＩＤを確認し（Ｓ３１）、これに対応するシール対応文字色パターンの有無を調べる（Ｓ３２）。存在しなければ、この処理を終了する。存在すれば、シールの位置を確認する（Ｓ３３）。さらに、当該シール対応文字色パターンをシールの位置にあわせて文字色に反映させる（Ｓ３４）。その後、シール位置の変更があれば（Ｓ３５）、シールによる文字色変更を元に戻して（リセットして）（Ｓ３６）、ステップＳ３３へ戻る。シール位置変更がなく、シール操作が終了（例えば次のツールへ移行）すれば、この処理を終了する。シールが剥がされた場合には、シール操作（図２４のＳ１３３）でシールのイメージは除去されるが、シール貼付により変更された文字色はそのまま残る。
【００５５】
図２７は、受信側端末でのメール受信・表示処理のフローチャートを示している。受信側端末は、メールを受信したとき（Ｓ４１）、便箋ＩＤを確認し、そのイメージをキャッシュメモリから取得する（Ｓ４２）。キャッシュになければ、サーバからダウンロードする。そこで、便箋イメージを表示するとともに、受信したテキスト（文字列）を指定された文字色で表示する（Ｓ４３）。また、シールが貼付されている場合には、そのシールＩＤを確認し（Ｓ４４）、そのシールイメージをキャッシュメモリまたはサーバから取得する（Ｓ４５）。このシールの位置を確認して（Ｓ４６）、その位置にシールイメージを表示する（Ｓ４７）。
【００５６】
以上、本発明の好適な実施の形態について説明したが、上記で言及した以外にも種々の変形、変更を行うことが可能である。例えば、文字の「表示属性」として、色について説明したが、文字の反転、袋文字、影文字、点滅、書体、太文字、下線等、任意の表示属性を採用しうる。
【００５７】
便箋にはそれ自体のイメージ（地模様）があるものとして説明したが、地模様は必須の要素ではない（地模様のない便箋は実質的には無地の便箋と等価と考えることができる）。
【００５８】
便箋とシールの文字色パターンを両方備えた実施の形態について説明したが、必ずしも両方を備える必要はなく、一方のみを独立に採用することが可能である。
【図面の簡単な説明】
【００５９】
【図１】本発明の実施の形態に係るシステム全体の概略構成、および通信端末装置の一例として携帯電話機の内部構成を示す図である。
【図２】図１のシステム内に示したサーバの概略の構成例を示すブロック図である。
【図３】図１の端末におけるユーザインタフェース（ＵＩ）画面を示す図である。
【図４】本発明の実施の形態で用いる便箋テーブルの構成例を示す図である。
【図５】本発明の実施の形態で用いるシールテーブルの構成例を示す図である。
【図６】本発明の実施の形態における便箋文字色パターンの一例を示す図である。
【図７】本発明の実施の形態におけるシール対応文字色パターンの構成例を示す図である。
【図８】本発明の実施の形態における宛名リストの構成例を示す図である。
【図９】本発明の実施の形態におけるあて先選択画面を示す図である。
【図１０】本発明の実施の形態における便箋選択画面を示す図である。
【図１１】本発明の実施の形態におけるメッセージ編集画面を示す図である。
【図１２】文字入力およびシール貼付が完了した状態のメッセージ編集画面の一例を示す図である。
【図１３】本発明の実施の形態におけるメッセージの具体的なデータ構造の例を示す図である。
【図１４】本発明の実施の形態における便箋文字色パターンに従った文字色の変更の様子を示す図である。
【図１５】本発明の実施の形態において、便箋に対して、ハート形の文字色パターンが割り当てられた例を示す図である。
【図１６】本発明の実施の形態において、便箋に対して、それぞれハート形および星形の文字色パターンが割り当てられた例を示す図である。
【図１７】本発明の実施の形態において、便箋に対して、チェックの文字色パターンが割り当てられた例を示す図である。
【図１８】本発明の実施の形態において、便箋に対して、ストライプの文字色パターンが割り当てられた例を示す図である。
【図１９】本発明の実施の形態において、便箋に対して、多数の色のストライプを用いた虹の文字色パターンが割り当てられた例を示す図である。
【図２０】本発明の実施の形態において、黒の背景の中に暗い文字と明るい文字とを混在させ夜空を模した文字色パターンが割り当てられた例を示す図である。
【図２１】本発明の実施の形態において、文字色が動的に変化する文字色パターンの表示例を示す図である。
【図２２】本発明の実施の形態において、シールに文字色パターンを持たせた場合の説明図である。
【図２３】本発明の実施の形態において、受信メッセージの表示に関する説明図である。
【図２４】本発明の実施の形態におけるメール作成・送信処理のフローチャートである。
【図２５】図２４の処理の一部としての文字入力処理のフローチャートである。
【図２６】図２４におけるシール操作の処理の一部としての、シールによる文字色変更処理のフローチャートである。
【図２７】本発明の実施の形態における受信側端末でのメール受信・表示処理のフローチャートである。
【符号の説明】
【００６０】
５１…宛名リスト、６１…便箋テーブル、６２…シールテーブル、１００…携帯電話機（通信端末装置）、１５０…基地局、１６０…サーバ、１６３…ＰＣ、２０２…データベース、２０４…Ｗｅｂデータ記憶装置、２０６…テーブルデータ記憶装置、２０８…メールデータ記憶装置、３０２…台紙イメージ、３０３…シールイメージ、３１２…便箋文字色パターン、３１３…シール対応文字色パターン
【図１】
2005032133.tif 000003
【図２】
2005032133.tif 000004
【図３】
2005032133.tif 000005
【図４】
2005032133.tif 000006
【図５】
2005032133.tif 000007
【図６】
2005032133.tif 000008
【図７】
2005032133.tif 000009
【図８】
2005032133.tif 000010
【図１３】
2005032133.tif 000011
【図１４】
2005032133.tif 000012
【図１５】
2005032133.tif 000013
【図１６】
2005032133.tif 000014
【図１７】
2005032133.tif 000015
【図２４】
2005032133.tif 000016
【図２５】
2005032133.tif 000017
【図２６】
2005032133.tif 000018
【図２７】
2005032133.tif 000019
【図９】
2005032133.tif 000020
【図１０】
2005032133.tif 000021
【図１１】
2005032133.tif 000022
【図１２】
2005032133.tif 000023
【図１８】
2005032133.tif 000024
【図１９】
2005032133.tif 000025
【図２０】
2005032133.tif 000026
【図２１】
2005032133.tif 000027
【図２２】
2005032133.tif 000028
【図２３】
2005032133.tif 000029